(57)【特許請求の範囲】
【請求項１】
(1)既設柱及び建込柱に夫々突設したエレクションピースと、
(2)上記既設柱のエレクションピースを挾持してこれに接合される下方部分と、
(3)建込柱のエレクションピースを挾持してこれに接合される上方部分とを有し、２枚の側板を互いに連結して形成した柱接続治具と、
(4)前記２枚の側板間にて上記両エレクションピース間に介挿されるレベル調整手段と、
(5)上記建込柱の両エレクションピースと柱接続治具間に設けた水平位置調整手段とより成る構造物の柱建て込み装置において、
上記水平位置調整手段が、
(5-1)上記側板が上記建込柱のエレクションピースの側面を遊動自在に挾持し、
(5-2)この挾持部分に螺合した水平位置調整ボルトの先端が上記エレクションピースの側面に対接され、
(5-3)上記水平位置調整ボルトを進退せしめることによって上記既設柱に対する上記建込柱の水平位置を調整できるようにした
ことを特徴とする構造物の柱建て込み装置。
【請求項２】
上記レベル調整手段が、上記既設柱のエレクションピース上に載置される下部楔状台座と、この下部楔状台座の斜面にその斜面が載置される上部楔状台座と、この上部楔状台座上に載置される、上記建込柱のエレクションピースを支持するためのピース受けとより成り、上記柱接続治具に螺合したボルトによって上記上部及び下部楔状台座を互いに相対的に水平移動することによって上記建込柱の鉛直度が調整されることを特徴とする請求項１記載の構造物の柱建て込み装置。
【請求項３】
上記ピース受け及び上部楔状台座の対向面に弧状突部とこれを嵌合する弧状凹部が形成されていることを特徴とする請求項２記載の構造物の柱建て込み装置。
【請求項４】
上記柱接続治具の上端が外方に拡開していることを特徴とする請求項１，２，または３記載の構造物の柱建て込み装置。
【請求項５】
(A)請求項１〜４の何れかに記載の構造物の柱建て込み装置を利用して行う構造物の柱建て込み方法であって、
(1)既設柱のエレクションピースに柱接続治具の下方部分を接合する工程と、
(2)上記既設柱のエレクションピース上にレベル調整手段を載置する工程と、
(3)上記柱接続治具の上端より建込柱のエレクションピースを落とし込み、上記レベル調整手段上に載置する工程と、
(4)水平位置調整ボルトを進退せしめることによって上記既設柱に対する建込柱の水平位置を調整する工程と、
(5)上記レベル調整手段を調整して上記建込柱の鉛直度を調整する工程と、
(6)上記建込柱のエレクションピースを上記柱接続治具の上方部分にボルト接合する工程と、
より成ることを特徴とする構造物の柱建て込み方法。
【請求項６】
(A)請求項１〜４の何れかに記載の構造物の柱建て込み装置を利用して行う構造物の柱建て込み方法であって、
(1)既設柱のエレクションピースに柱接続治具の下方部分を接合する工程と、
(2)上記既設柱のエレクションピース上にレベル調整手段を載置する工程と、
(3)上記柱接続治具の上端より建込柱のエレクションピースを落とし込み、上記レベル調整手段上に載置する工程と、
(4)上記レベル調整手段を調整して上記建込柱の鉛直度を調整する工程と、
(5)水平位置調整ボルトを進退せしめることによって上記既設柱に対する建込柱の水平位置を調整する工程と、
より成ることを特徴とする構造物の柱建て込み方法。
【発明の詳細な説明】
【０００１】
【産業上の利用分野】
本発明は構造物の柱建て込み方法及び装置、特に構造物の既設の鉄骨柱に建込柱を建て込むための構造物の柱建て込み方法及び装置に関するものである。
【０００２】
【従来の技術】
従来、柱の建て方を柱の鉛直性確保を梁接続に優先させて行う場合には、図６及び図７に示すように既設の鉄骨柱１と建込柱２に夫々外部エレクションピース３ａ，３ｂをスプライスプレート４ａ，４ｂを介してボルト接続した後に、エレクションピース３ａ，３ｂ間に楔５をハンマー６で打ち込むことによって行っていた。
【０００３】
【発明が解決しようとする課題】
然しながら、上記従来の方法及び装置では、楔５を所定の位置に正確に位置せしめることが困難であり、またそのための騒音を押さえることが困難であった。また、上下柱の微妙な目違いはエレクションピースの取付精度にまかせるしかなく、建て込み後の水平位置の調整は事実上不可能であった。
【０００４】
本発明は上記の欠点を除くようにしたものである。
【０００５】
【課題を解決するための手段】
本発明の構造物の柱建て込み装置は、
(1)既設柱及び建込柱に夫々突設したエレクションピースと、
(2)上記既設柱のエレクションピースを挾持してこれに接合される下方部分と、
(3)建込柱のエレクションピースを挾持してこれに接合される上方部分とを有し、２枚の側板を互いに連結して形成した柱接続治具と、
(4)前記２枚の側板間にて上記両エレクションピース間に介挿されるレベル調整手段と、
(5)上記建込柱の両エレクションピースと柱接続治具間に設けた水平位置調整手段とより成る構造物の柱建て込み装置において、
上記水平位置調整手段が、
(5-1)上記側板が上記建込柱のエレクションピースの側面を遊動自在に挾持し、
(5-2)この挾持部分に螺合した水平位置調整ボルトの先端が上記エレクションピースの側面に対接され、
(5-3)上記水平位置調整ボルトを進退せしめることによって上記既設柱に対する上記建込柱の水平位置を調整できるようにした
ことを特徴とするものである。
【０００７】
上記レベル調整手段は、上記既設柱のエレクションピース上に載置される下部楔状台座と、この下部楔状台座の斜面にその斜面が載置される上部楔状台座と、この上部楔状台座上に載置される、上記建込柱のエレクションピースを支持するためのピース受けとより成り、上記柱接続治具に螺合したボルトによって上記上部及び下部楔状台座を互いに相対的に水平移動することによっ上記建込柱の鉛直度が調整される。
【０００８】
上記ピース受け及び上部楔状台座の対向面には、弧状突部とこれを嵌合する弧状凹部が形成されている。
【０００９】
上記柱接続治具は、上記建込柱のエレクションピースの側面を遊動自在に挾持し、この挾持部分に螺合した水平位置調整ボルトの先端が上記エレクションピースの側面に対接され、上記水平位置調整ボルトを進退せしめることによって上記既設柱に対する上記建込柱の水平位置（目違い）を調整できるようにした。
【００１０】
上記柱接続治具の上端は、外方に拡開している。
【００１２】
また、本発明の構造物の柱建込み方法は、
(A)請求項１〜４の何れかに記載の構造物の柱建て込み装置を利用して行う構造物の柱建て込み方法であって、
(1)既設柱のエレクションピースに柱接続治具の下方部分を接合する工程と、
(2)上記既設柱のエレクションピース上にレベル調整手段を載置する工程と、
(3)上記柱接続治具の上端より建込柱のエレクションピースを落とし込み、上記レベル調整手段上に載置する工程と、
(4)水平位置調整ボルトを進退せしめることによって上記既設柱に対する建込柱の水平位置を調整する工程と、
(5)上記レベル調整手段を調整して上記建込柱の鉛直度を調整する工程と、
(6)上記建込柱のエレクションピースを上記柱接続治具の上方部分にボルト接合する工程とより成る。
【００１３】
また、本発明の他の構造物の柱建込み方法は、
(A)請求項１〜４の何れかに記載の構造物の柱建て込み装置を利用して行う構造物の柱建て込み方法であって、
(1)既設柱のエレクションピースに柱接続治具の下方部分を接合する工程と、
(2)上記既設柱のエレクションピース上にレベル調整手段を載置する工程と、
(3)上記柱接続治具の上端より建込柱のエレクションピースを落とし込み、上記レベル調整手段上に載置する工程と、
(4)上記レベル調整手段を調整して上記建込柱の鉛直度を調整する工程と、
(5)水平位置調整ボルトを進退せしめることによって上記既設柱に対する建込柱の水平位置を調整する工程とより成る。
【００１４】
【実施例】
以下図面によって本発明の実施例を説明する。
【００１５】
本発明においては図１〜図５に示すように既設の柱１に固定されているエレクションピース３ａに対して、２枚の側板を互いに連結して形成した柱接続治具７の側板下部を横方向ルーズホール８及びピン９並びにピン２０を介して接続する。
【００１６】
この状態で、上記エレクションピース３ａの上面に、下部楔状台座１０、上部楔状台座１１及びこの上部楔状台座１１の上面に形成した半円弧状突部を嵌合する半円弧状凹部をその下面に形成したピース受け１２をこの順序で載置せしめる。
【００１７】
次に、新設の建込柱２のエレクションピース３ｂを上記接続治具７の上端に形成した上方に開いたガイド１３に沿って落とし込み、上記ピース受け１２上に載置せしめる。
【００１８】
次いで、建込柱２を柱接続治具７の側板上部に縦方向ルーズホール１４及びピン１５を介して接続する。
【００１９】
次に、下方の既設柱１と柱接続治具７を緊結するために上記柱接続治具７に螺合したガタ取りボルト１６，１６´，１７，１８を用い上方の建込柱２のエレクションピース３ｂに対するあそび具合を確認しながら、締め付けを行う。
【００２０】
次に、上下柱１，２の目違いを調整するため上記柱接続治具７に螺合した水平位置調整ボルト１９，１９´をねじ込むことにより建込柱２のエレクションピース３ｂを既設柱１のエレクションピース３ａに固定された柱接続治具７に対して相対的に水平方向に移動することによって建込柱２の水平位置調整を行ない、上記水平位置調整ボルト１９，１９´を軽く締め付けておく。
【００２１】
次に、上記柱接続治具７に螺合し、その先端を上記下部楔状台座１０の一端面に対接したレベル上げボルト２１を柱接続治具７に相対的に進退することにより、建込柱２の４隅の高さを微調整し、結果として柱全体の鉛直性の確保を行う。
【００２２】
この場合、上下楔状台座１０，１１がその傾斜部分を対向させて重なっており、上記ボルト２１により下部楔状台座１０が押されることにより上部楔状台座１１及びピース受け１２を介して上部エレクションピース３ｂに揚力が伝達され、柱の建入れ調整が可能となる。この際、上部楔状台座１１及びピース受け１２間で半円弧状の支圧部分が形成され、ピース受け１２はたえずエレクションピース３ｂの下端に対して均等な状態で揚力を伝えることができる。
【００２３】
また、上記下部楔状台座１０の他端面には上記柱接続治具７に螺合したレベル下げボルト２２の先端を対接し、建込柱２を上げ過ぎた場合にはレベル下げボルト２２を押し込むことによって所定高さまで戻すことができるようにする。この操作を４ケ所において行うことによって、上部建込柱２の鉛直度調整を完了するからこの時点で、上部エレクションピース３ｂに対するガタ取りボルト２３，２４及び水平位置調整ボルトの１９，１９´を締め付けて再度建込柱２の建入れ精度を確認し、所定の許容範囲内であれば柱の建入れ作業を完了する。
【００２４】
なお、上記建込柱の鉛直度の調整を行った後に、水平位置の調整を行ない、鉛直度を再確認してもよい。
【００２５】
【発明の効果】
上記のように、本発明の構造物の柱建て込み方法及び装置によれば、従来のスプライスプレートを使用しボルト接合を行って、上下エレクションピースのギャップ部分に楔を打ち込む手段に比べて、ボルトのねじ込みで行うため無騒音で、正確な建入れ調整ができ、正確な上下柱の目地合わせも可能となる。
【００２６】
また、上記エレクションピースは柱ジョイントの溶接完了後は取り外し転用できるので、従来柱ごとに付随していた、スプライスプレート及びボルトの使い捨ても生ぜず、経済的である等種々の利益がある。
【図面の簡単な説明】
【図１】本発明の構造物の柱建て込み装置の説明用正面図である。
【図２】本発明の構造物の柱建て込み装置の説明用平面図である。
【図３】本発明の構造物の柱建て込み装置における柱接続治具の正面図である。
【図４】本発明の構造物の柱建て込み装置における柱接続治具の平面図である。
【図５】本発明の構造物の柱建て込み装置における柱接続治具の縦断側面図である。
【図６】従来の構造物の柱建て込み装置の説明用正面図である。
【図７】従来の構造物の柱建て込み装置の説明用平面図である。
【符号の説明】
１  鉄骨柱
２  建込柱
３ａ  エレクションピース
３ｂ  エレクションピース
４ａ  スプライスプレート
４ｂ  スプライスプレート
５  楔
６  ハンマー
７  柱接続治具
８  横方向ルーズホール
９  ピン
１０  下部楔状台座
１１  上部楔状台座
１２  ピース受け
１３  ガイド
１４  縦方向ルーズホール
１５  ピン
１６  ガタ取りボルト
１６´  ガタ取りボルト
１７  ガタ取りボルト
１８  ガタ取りボルト
１９  水平位置調整ボルト
１９´  水平位置調整ボルト
２０  ピン
２１  レベル上げボルト
２２  レベル下げボルト
２３  ガタ取りボルト
２４  ガタ取りボルト
【図１】
0003554393.tif 000002
【図２】
0003554393.tif 000003
【図３】
0003554393.tif 000004
【図４】
0003554393.tif 000005
【図５】
0003554393.tif 000006
【図６】
0003554393.tif 000007
【図７】
0003554393.tif 000008